(57)【要約】【課題】部品点数が増大することを抑制しつつ、環境温度を検知できる画像形成装置を提供する。【解決手段】画像形成装置１は、画像形成部と、定着部４０と、制御部９０と、記憶部とを備える。画像形成部は、トナー像ＴＮをシートＰに形成する。定着部４０は、シートＰに形成されたトナー像ＴＮをシートＰに定着させる。制御部９０は、画像形成装置１の設置環境の温度を示す環境温度に基づいて、定着部４０を制御する。定着部４０は、加熱回転体４１と、加圧回転体４２と、加熱部６と、検知部５とを有する。加圧回転体４２は、シートＰを加熱回転体４１に押し付ける。加熱部６は、加熱回転体４１を加熱する。検知部５は、加熱回転体４１の温度を検知する。制御部９０は、加熱回転体４１を加熱する前に検知部５で検知された温度を環境温度として記憶するように、記憶部を制御する。【選択図】図２
2020160249.tif 000002
【特許請求の範囲】
【請求項１】
画像形成装置であって、
トナー像をシートに形成する画像形成部と、
前記シートに形成された前記トナー像を前記シートに定着させる定着部と、
前記画像形成装置の設置環境の温度を示す環境温度に基づいて、前記定着部を制御する制御部と、
記憶部と
を備え、
前記定着部は、
加熱回転体と、
前記シートを前記加熱回転体に押し付ける加圧回転体と、
前記加熱回転体を加熱する加熱部と、
前記加熱回転体の温度を検知する検知部と
を有し、
前記制御部は、前記加熱回転体を加熱する前に前記検知部で検知された温度を前記環境温度として記憶するように、前記記憶部を制御する、画像形成装置。
【請求項２】
前記制御部は、ウォームアップを実行し、
前記ウォームアップにおいて前記加熱回転体を加熱する前に、前記検知部で検知された温度を前記環境温度として記憶するように、前記記憶部を制御し、
前記ウォームアップは、前記加熱回転体を所定温度に加熱する動作を示す、請求項１に記載の画像形成装置。
【請求項３】
前記制御部は、画像を前記シートに形成するプロセス制御を更に実行し、
前記制御部は、前記プロセス制御において前記加熱回転体が加熱される時に前記検知部で検知される温度と、前記記憶部に記憶された前記環境温度とに基づいて、前記加熱部を制御する、請求項１又は請求項２に記載の画像形成装置。
【請求項４】
印刷ジョブを受け付ける操作部を更に備え、
前記制御部は、
前記加熱部が前記加熱回転体の加熱を停止した時から前記印刷ジョブを受け付けた時までの時間を計測する計測部を有し、
前記時間が所定時間以上である場合には、前記検知部で検知された温度を、新たな前記環境温度として記憶するように、前記記憶部を制御して、前記プロセス制御を実行する、請求項３に記載の画像形成装置。
【請求項５】
前記制御部に外部電源から電力が供給される電源オン状態と、前記制御部に前記電力が供給されない電源オフ状態とを切り替える主電源スイッチを更に備え、
前記制御部は、前記電源オフ状態から前記電源オン状態に変更された時に、前記検知部で検知された温度と、前記記憶部に記憶された前記環境温度とに基づいて、新たな環境温度を決定する、請求項１から請求項４のいずれか１項に記載の画像形成装置。
【請求項６】
前記検知部は、前記加熱回転体の外部に配置される、請求項１から請求項５のいずれか１項に記載の画像形成装置。
【発明の詳細な説明】
【技術分野】
【０００１】
本発明は、画像形成装置に関する。
【背景技術】
【０００２】
定着装置は、未定着画像が形成された記録材を、定着部材と加圧ローラーとにより互いに圧接してなる定着ニップ部を通過させることにより、未定着画像を記録材上に永久画像として定着させる。定着装置は、定着部材と、加圧ローラーと、外気温検知手段と、制御回路とを備える。定着部材は、フィルムと、ヒーターと、サーミスターとを有する。制御回路は、サーミスターで検知されたヒーター温度と、外気温検知手段で検知された検知温度とに応じて、ヒーターの温調温度を決定する。
【先行技術文献】
【特許文献】
【０００３】
【特許文献１】特開２００２−１６９４０７号公報
【発明の概要】
【発明が解決しようとする課題】
【０００４】
しかしながら、特許文献１に記載された定着装置では、ヒーターの温調温度を決定するために、外気温検知手段とサーミスターとの２個の検知部を備える必要があった。よって、部品点数が増大した。
【０００５】
本発明は、上記課題に鑑みてなされたものであり、部品点数が増大することを抑制しつつ、環境温度を検知できる画像形成装置を提供することを目的としている。
【課題を解決するための手段】
【０００６】
本発明の一局面によれば、画像形成装置は、画像形成部と、定着部と、制御部と、記憶部とを備える。前記画像形成部は、トナー像をシートに形成する。前記定着部は、前記シートに形成された前記トナー像を前記シートに定着させる。前記制御部は、前記画像形成装置の設置環境の温度を示す環境温度に基づいて、前記定着部を制御する。前記定着部は、加熱回転体と、加圧回転体と、加熱部と、検知部とを有する。前記加圧回転体は、前記シートを前記加熱回転体に押し付ける。前記加熱部は、前記加熱回転体を加熱する。前記検知部は、前記加熱回転体の温度を検知する。前記制御部は、前記加熱回転体を加熱する前に前記検知部で検知された温度を前記環境温度として記憶するように、前記記憶部を制御する。
【発明の効果】
【０００７】
本発明の画像形成装置によれば、部品点数が増大することを抑制しつつ、環境温度を検知できる。
【図面の簡単な説明】
【０００８】
【図１】本発明の実施形態に係る画像形成装置を示す断面図である。
【図２】本実施形態に係る定着部の構成の一例を示す断面図である。
【図３】本実施形態に係る画像形成装置の構成を示すブロック図である。
【図４】本実施形態に係る電力状態のタイムチャートの一例を示す図である。
【図５】本実施形態に係る制御部の処理の一例を示すフローチャートである。
【図６】本実施形態に係る制御部の処理の他の一例を示すフローチャートである。
【発明を実施するための形態】
【０００９】
以下、本発明の実施形態について、図面を参照しながら説明する。なお、図中、同一又は相当部分については同一の参照符号を付して説明を繰り返さない。
【００１０】
（実施形態１）
図１を参照して、本発明の実施形態に係る画像形成装置１について説明する。図１は、画像形成装置１を示す断面図である。画像形成装置１は、シートＰに画像を形成する。本実施形態では、画像形成装置１は複合機である。複合機は、例えば、複写機、プリンター、ファクシミリ、及びスキャナーのうち少なくとも２つの機器を備える。
【００１１】
画像形成装置１は、給送部１０と、搬送部２０と、画像形成部３０と、定着部４０と、排出部６５と、原稿搬送部７０と、画像読取部７５と、操作部８０と、記憶部８１と、制御部９０とを備える。
【００１２】
給送部１０は、各々が複数のシートＰを収容する複数のカセット１１と、手差しトレイ１２とを含む。シートＰは、例えば、紙製又は合成樹脂製のシートである。給送部１０は、カセット１１又は手差しトレイ１２から搬送部２０へシートＰを給送する。搬送部２０は、画像形成部３０にシートＰを搬送する。
【００１３】
画像形成部３０はシートＰにトナー像を形成する。具体的には、画像形成部３０は、感光体ドラム３１と、帯電ブレード３２と、露光部３３と、現像部３４と、転写部３５と、クリーニング部３６と、除電部３７とを含む。なお、画像形成部３０は、帯電ブレード３２に代えて、帯電ローラーを備えてもよい。
【００１４】
帯電ブレード３２は感光体ドラム３１の表面を帯電させる。帯電ブレード３２は、例えば、ゴム製である。露光部３３は、画像データに基づく光を感光体ドラム３１の表面に照射する。その結果、感光体ドラム３１の表面には画像データに対応した静電潜像が形成される。
【００１５】
現像部３４は、現像ローラー３４ａを含み、静電潜像をトナーによって現像する。具体的には、現像部３４は、静電潜像にトナーを付着させて、感光体ドラム３１の表面にトナー像を形成する。トナー像は、静電潜像に基づく画像である。転写部３５はシートＰにトナー像を転写させる。クリーニング部３６は、感光体ドラム３１の表面に残留しているトナーを除去する。除電部３７は、感光体ドラム３１の表面の残留電荷を除去する。搬送部２０は、トナー像が転写されたシートＰを定着部４０に搬送する。
【００１６】
定着部４０は、トナー像が転写されたシートＰを加熱及び加圧して、トナー像をシートＰに定着させる。具体的には、定着部４０は、加熱ローラー４１と、加圧ローラー４２とを含む。加熱ローラー４１は、加熱回転体の一例である。加熱ローラー４１は、シートＰを加熱する。加圧ローラー４２は、例えば、加圧回転体の一例である。加圧ローラー４２は、加熱ローラー４１にシートＰを押し付ける。搬送部２０は、トナー像が定着されたシートＰを排出部６５に搬送する。
【００１７】
排出部６５は画像形成装置１の外部にシートＰを排出する。原稿搬送部７０は、原稿を画像読取部７５に向けて搬送する。画像読取部７５は、原稿の画像を読み取って画像データを生成する。
【００１８】
操作部８０は、ユーザーの各種操作を受け付ける。例えば、操作部８０は、印刷ジョブを受け付ける。具体的には、操作部８０は、表示部と操作キー部とを備える。表示部は、例えば、液晶ディスプレーである。表示部は、画像情報を表示する。また、表示部は、入力用のタッチパネルとしても機能する。
【００１９】
記憶部８１は、記憶装置を含み、コンピュータープログラムを記憶する。具体的には、記憶部８１は、半導体メモリーのような主記憶装置、並びに、半導体メモリー及び／又はハードディスクドライブのような補助記憶装置を含む。
【００２０】
記憶部８１は、環境温度を記憶する。環境温度は、画像形成装置１の設置環境の温度を示す。
【００２１】
制御部９０は、ＣＰＵ（Ｃｅｎｔｒａｌ  Ｐｒｏｃｅｓｓｉｎｇ  Ｕｎｉｔ）のようなプロセッサーを含む。
【００２２】
続けて、図２を参照して、本実施形態に係る定着部４０の構成について説明する。図２は、定着部４０の構成の一例を示す断面図である。図２に示すように、定着部４０は、加熱ローラー４１及び加圧ローラー４２に加えて、２つの加熱部６と、検知部５と、駆動部４３とを有する。
【００２３】
加熱ローラー４１は、円筒状の加熱回転体である。加熱ローラー４１は、シートＰの搬送方向ＤＡと直交する方向に延びる回転軸を中心に、回転方向Ｒ１に回転可能である。
【００２４】
加圧ローラー４２は、円柱状の加圧ローラーである。加圧ローラー４２は、外周面４２ａ及びローラー軸４２ｂを含む。加圧ローラー４２は、ローラー軸４２ｂを中心に回転可能である。ローラー軸４２ｂは加熱ローラー４１の回転軸と平行である。以下、加熱ローラー４１の回転軸及び加圧ローラー４２のローラー軸４２ｂに沿った方向を単に「軸方向」と記載する。
【００２５】
ローラー軸４２ｂには、加圧ローラー４２を回転させて駆動する駆動部４３が直結される。駆動部４３は、例えば、電動モーターである。
【００２６】
外周面４２ａは、加熱ローラー４１の外周面４１ａに当接するように配置される。加熱ローラー４１は、加圧ローラー４２の回転に従動して、回転方向Ｒ２に回転する。これにより、加熱ローラー４１と加圧ローラー４２との間で、トナー像ＴＮが転写されたシートＰを挟持する定着ニップＮが形成される。その結果、加圧ローラー４２は、定着ニップＮを通過するように搬送されるシートＰを加熱ローラー４１の外周面４１ａに押し付ける。
【００２７】
２つの加熱部６は加熱ローラー４１を加熱する。加熱部６は、例えば、ハロゲンヒーター又はセラミックヒーターを含む。加熱ローラー４１は、定着ニップＮを通過するように搬送されるシートＰに熱を付与する。トナーＴＮが転写されたシートＰが定着ニップＮを通過すると、トナーＴＮが溶融してシートＰに定着する。
【００２８】
検知部５は、加熱ローラー４１の温度を検出する。例えば、検知部５は、加熱ローラー４１の外部に配置される。詳細には、検知部５は、加熱ローラー４１の外周面４１ａに接触して、加熱ローラー４１の温度を検知する。検知部５は、加熱ローラー４１の回転方向Ｒ１に沿って定着ニップＮよりも上流側に配置される。具体的には、検知部５は、温度を検知する温度センサー（例えば、サーミスター）である。そして、検知部５は、温度を示す検知信号を制御部９０に出力する。
【００２９】
続けて、図３を参照して、本実施形態に係る画像形成装置１の構成について説明する。図３は、画像形成装置１の構成を示すブロック図である。図３に示すように、画像形成装置１は、主電源スイッチ８３を更に備える。
【００３０】
主電源スイッチ８３は、電源オン状態と電源オフ状態とを切り替える。電源オン状態では、制御部９０、操作部８０及び検知部５に外部電源から電力が供給される。一方、電源オフ状態では、制御部９０、操作部８０及び検知部５に電力が供給されない。
【００３１】
制御部９０は、計測部９０ａ、取得部９０ｂ、決定部９０ｃ及び実行部９０ｄを含む。そして、制御部９０のプロセッサーは、記憶部８１の記憶装置に記憶されたコンピュータープログラムを実行することによって、計測部９０ａ、取得部９０ｂ、決定部９０ｃ及び実行部９０ｄとして機能する。
【００３２】
実行部９０ｄは、プロセス制御と、ウォームアップと、レディー制御とを切り替える。
【００３３】
プロセス制御は、シートＰに画像を形成する動作を示す。具体的には、実行部９０ｄは、印刷ジョブを操作部８０から受け付けた時に、プロセス制御を実行する。詳細には、実行部９０ｄは、プロセス制御の実行時に、加熱部６及び駆動部４３に電力を供給させる。そして、実行部９０ｄは、加熱ローラー４１が加熱される時に検知部５で検知される温度と、記憶部８１に記憶された環境温度とに基づいて、加熱部６を制御する。例えば、実行部９０ｄは、環境温度が低い時には、検知部５で検知される温度が高くなるように、加熱部６を制御する。一方、実行部９０ｄは、環境温度が高い時には、検知部５で検知される温度が低くなるように、加熱部６を制御する。
【００３４】
ウォームアップは、加熱ローラー４１を所定温度に加熱する動作を示す。所定温度は、例えば、プロセス制御の実行時に加熱する加熱ローラー４１の温度より１０℃から３０℃、低い温度である。また、ウォームアップでは、トナーが現像部３４に補給される。具体的には、実行部９０ｄは、電源オフ状態から電源オン状態に変更された時、又は、印刷ジョブを受け付けた時に、ウォームアップを実行する。詳細には、実行部９０ｄは、ウォームアップの実行時に、加熱部６及び駆動部４３に電力を供給させる。そして、実行部９０ｄは、検知部５で検知される温度が所定温度になるように、加熱部６を制御する。
【００３５】
レディー制御は、プロセス制御又はウォームアップの実行が終了した後、操作部８０から印刷ジョブを受け付けるための待機動作を示す。詳細には、実行部９０ｄは、レディー制御の実行時に、加熱部６及び駆動部４３に電力を供給させない。また、実行部９０ｄは、レディー制御の実行時に、操作部８０に電力を供給させる。
【００３６】
計測部９０ａは、加熱部６が加熱ローラー４１の加熱を停止した時から印刷ジョブを受け付けた時までの時間を計測する。そして、計測部９０ａは、時間を示すクロック信号を制御部９０に出力する。
【００３７】
取得部９０ｂは、検知部５から検知信号を取得する。また、取得部９０ｂは、計測部９０ａから計測信号を取得する。
【００３８】
決定部９０ｃは、加熱ローラー４１を加熱する前に検知部５で検知された温度を環境温度として記憶するように、記憶部８１を制御する。
【００３９】
以上、図１から図４を参照して説明したように、本実施形態によれば、検知部５で検知された温度は、加熱部６による影響が小さい温度である。すなわち、検知部５で検知された温度は、画像形成装置１の設置環境の温度である。これにより、検知部５で設置環境の温度を検知するため、専用の外気温検知手段を備える必要がない。従って、部品点数が増大することを抑制しつつ、環境温度を検知できる。
【００４０】
また、検知部５は、加熱ローラー４１の外部に配置されるため、画像形成装置１の設置環境に置かれるので、環境温度を精度よく検知できる。
【００４１】
続けて、図４を参照して、本実施形態に係る画像形成装置１の電力状態のタイムチャートについて説明する。図４は、電力状態のタイムチャートの一例を示す図である。タイムチャートの横軸は時間を示す。タイムチャートでは、オン状態である場合はＨｉｇｈを示し、オフ状態である場合はＬｏｗを示す。
【００４２】
図４に示すように、タイムチャートＡは、主電源スイッチ８３の電源状態を示す。タイムチャートＢは、取得部９０ｂが取得したクロック信号を示す。タイムチャートＣは、取得部９０ｂが取得した検知信号を示す。タイムチャートＤは、決定部９０ｃの電源状態を示す。
【００４３】
主電源スイッチ８３の電源状態がＨｉｇｈを示す時には、取得部９０ｂがクロック信号及び検知信号を取得する。一方、主電源スイッチ８３の電源状態がＬｏｗを示す時には、取得部９０ｂがクロック信号及び検知信号を取得できない。
【００４４】
電源オフ状態から電源オン状態に変更された時に、実行部９０ｄはウォームアップＵ０を実行することになるが、決定部９０ｃは、加熱ローラー４１を加熱する前に検知部５で検知された温度を環境温度として記憶するように、記憶部８１を制御する。そして、実行部９０ｄはウォームアップＵ０を実行する。詳細には、ウォームアップＵ０では、加熱部６が加熱ローラー４１を加熱する。
【００４５】
そして、ウォームアップＵ０の実行が終了した後、実行部９０ｄはレディー制御を実行する。詳細には、レディー制御では、加熱部６が加熱ローラー４１の加熱を停止する。また、計測部９０ａは、加熱部６が加熱ローラー４１の加熱を停止した時から時間を計測する。
【００４６】
レディー制御の実行中に印刷ジョブを操作部８０から受け付けた時に、決定部９０ｃは、時間ｔ１、ｔ２が所定時間Ｔ以上であるか否かを判定する。所定時間Ｔは、具体的には加熱部６による影響が小さくなる時間を示し、例えば１時間である。具体的には、時間ｔ１が所定時間Ｔ以上である場合には、決定部９０ｃは、検知部５で検知された温度を、新たな環境温度として記憶するように、記憶部８１を制御する。一方、時間ｔ２が所定時間Ｔ未満である場合に、決定部９０ｃは、記憶部８１を制御しない。その後、実行部９０ｄはウォームアップＵ１、Ｕ２を実行して、プロセス制御Ｐ１、Ｐ２を実行する。
【００４７】
以上、図４を参照して説明したように、本実施形態によれば、加熱部６の加熱が停止してから所定時間Ｔ以上、経過した時には、検知部５で検知された温度を取得する。検知部５で検知された温度は、加熱部６による影響が小さい温度である。一方、加熱部６の加熱が停止してから所定時間Ｔ以上、経過していない時には、検知部５で検知された温度を取得しない。検知部５で検知された温度は、加熱部６による影響が大きい温度である。すなわち、検知部５は、画像形成装置１の設置環境の温度を検知できない。その結果、制御部９０は、記憶部８１に記憶された温度を取得する。従って、適切な環境温度を用いて画像を形成できる。
【００４８】
次に、図５及び図６を参照して、本実施形態に係る制御部９０の処理の一例について説明する。図５及び図６は、制御部９０の処理の一例を示すフローチャートである。本実施形態に係る制御部９０の処理は、ステップＳ１０１〜ステップＳ１１４を含む。
【００４９】
図５に示すように、ステップＳ１０１において、主電源スイッチ８３が電源オン状態であるか否かを、実行部９０ｄは判定する。主電源スイッチ８３が電源オン状態でないと判定した場合（ステップＳ１０１でＮＯ）、処理がステップＳ１０１に戻る。一方、主電源スイッチ８３が電源オン状態であると判定した場合（ステップＳ１０１でＹＥＳ）、処理がステップＳ１０２に進む。
【００５０】
ステップＳ１０２において、決定部９０ｃは、検知部５で検知された温度を環境温度として記憶するように、記憶部８１を制御する。そして、処理がステップＳ１０３に進む。
【００５１】
ステップＳ１０３において、ウォームアップとして、加熱部６が加熱ローラー４１を加熱するように、実行部９０ｄは外部電源から加熱部６に電力を供給させる。そして、処理がステップＳ１０４に進む。
【００５２】
ステップＳ１０４において、検知部５で検知される温度が所定温度以上であるか否かを、実行部９０ｄは判定する。検知部５で検知される温度が所定温度以上でないと実行部９０ｄが判定した場合（ステップＳ１０４でＮＯ）、処理がステップＳ１０４に戻る。一方、検知部５で検知される温度が所定温度以上であると実行部９０ｄが判定した場合（ステップＳ１０４でＹＥＳ）、処理がステップＳ１０５に進む。
【００５３】
ステップＳ１０５において、レディー制御として、加熱部６の加熱を停止するように、実行部９０ｄは外部電源から加熱部６に電力の供給を停止させる。そして、処理がステップＳ１０６に進む。
【００５４】
ステップＳ１０６において、計測部９０ａは、時間ｔを０にして、時間の計測を開始する。そして、処理がステップＳ１０７に進む。
【００５５】
ステップＳ１０７において、印刷ジョブを操作部８０から受け付けたか否かを、実行部９０ｄは判定する。印刷ジョブを操作部８０から受け付けていないと実行部９０ｄが判定した場合（ステップＳ１０７でＮＯ）、処理がステップＳ１０８に進む。
【００５６】
ステップＳ１０８において、計測部９０ａは、時間ｔを１だけインクリメントする。そして、処理がステップＳ１０７に戻る。一方、ステップＳ１０７において、印刷ジョブを操作部８０から受け付けたと実行部９０ｄが判定した場合（ステップＳ１０７でＹＥＳ）、処理がステップＳ１０９に進む。
【００５７】
ステップＳ１０９において、時間ｔが所定時間Ｔ以上であるか否かを決定部９０ｃは判定する。時間ｔが所定時間Ｔ以上であると決定部９０ｃが判定した場合（ステップＳ１０９でＹＥＳ）、処理がステップＳ１１０に進む。
【００５８】
ステップＳ１１０において、決定部９０ｃは、検知部５で検知された温度を環境温度として記憶するように、記憶部８１を制御する。そして、処理がステップＳ１１１に進む。
【００５９】
一方、時間ｔが所定時間Ｔ以上でないと決定部９０ｃが判定した場合（ステップＳ１０９でＮＯ）、処理がステップＳ１１１に進む。
【００６０】
ステップＳ１１１において、ウォームアップとして、加熱部６が加熱ローラー４１を加熱するように、実行部９０ｄは外部電源から加熱部６に電力を供給させる。そして、処理がステップＳ１１２に進む。
【００６１】
ステップＳ１１２において、検知部５で検知される温度が所定温度以上であるか否かを、実行部９０ｄは判定する。検知部５で検知される温度が所定温度以上でないと実行部９０ｄが判定した場合（ステップＳ１１２でＮＯ）、処理がステップＳ１１２に戻る。一方、検知部５で検知される温度が所定温度以上であると実行部９０ｄが判定した場合（ステップＳ１１２でＹＥＳ）、処理がステップＳ１１３に進む。
【００６２】
ステップＳ１１３において、プロセス制御として、加熱部６を加熱するように、実行部９０ｄは外部電源から加熱部６に電力を供給させる。そして、処理がステップＳ１１４に進む。
【００６３】
ステップＳ１１４において、主電源スイッチ８３が電源オフ状態であるか否かを、実行部９０ｄは判定する。主電源スイッチ８３が電源オフ状態でないと判定した場合（ステップＳ１１４でＮＯ）、処理がステップＳ１０５に戻る。一方、主電源スイッチ８３が電源オフ状態であると判定した場合（ステップＳ１１４でＮＯ）、処理が終了する。
【００６４】
（実施形態２）
次に、図１から図６を参照して、本発明の実施形態２に係る画像形成装置１を説明する。実施形態２が、検知部５で検知された温度と、記憶部８１に記憶された環境温度とに基づいて、新たな環境温度を決定する点で、実施形態２は実施形態１と主に異なる。以下、実施形態２が実施形態１と異なる点を主に説明する。
【００６５】
決定部９０ｃは、電源オフ状態から電源オン状態に変更された時に、検知部５で検知された温度と、記憶部８１に記憶された環境温度とに基づいて、新たな環境温度を決定する。
【００６６】
詳細には、決定部９０ｃは、電源オフ状態から電源オン状態に変更された時に、検知部５で検知された温度を取得する。決定部９０ｃは、検知部５で検知された温度と、記憶部８１に記憶された環境温度とを比較する。検知部５で検知された温度と、記憶部８１に記憶された環境温度との差が、閾値未満である時には、検知部５で検知された温度を新たな環境温度として記憶するように、記憶部８１を制御する。一方、検知部５で検知された温度と、記憶部８１に記憶された環境温度との差が、閾値未満でない時には、決定部９０ｃは、記憶部８１を制御しない。閾値は、具体的には加熱部６による影響が大きいと判定するための温度を示し、例えば５℃である。
【００６７】
以上、本実施形態によれば、主電源スイッチ８３が電源オフ状態である時には、電力が供給されないため、時間ｔの計測の情報が初期化され、時間ｔを計測できない。よって、時間ｔが所定時間Ｔ以上であるか否かを決定部９０ｃが判定できない。そのため、決定部９０ｃは、検知部５で検知された温度と、記憶部８１に記憶された環境温度とを比較する。検知部５で検知された温度と、記憶部８１に記憶された環境温度との差が、閾値未満である時には、検知部５で検知された温度を取得する。検知部５で検知された温度は、加熱部６の影響が小さい温度である。一方、検知部５で検知された温度と、記憶部８１に記憶された環境温度との差が、閾値未満でない時には、検知部５で検知された温度を取得しない。検知部５で検知された温度は、加熱部６の影響が大きい温度である。よって、記憶部８１に記憶された温度を取得する。従って、外部電源から電力の供給時に、適切な環境温度を決定できる。
【００６８】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００６９】
（１）本実施形態及び本実施例では、主電源スイッチ８３の電源状態がＬｏｗを示す時には、取得部９０ｂがクロック信号及び検知信号を取得できなかった。ただし、内蔵電池を備えてもよい。この場合は、検知部５で検知された温度と、記憶部８１に記憶された環境温度とを比較せずに、加熱部６の加熱が停止してから所定時間Ｔ以上、経過した時には、検知部５で検知された温度を取得する。
【００７０】
（２）実行部９０ｄは、スリープ制御に更に切り替えてもよい。スリープ制御は、レディー制御が所定時間、実行した後、操作部８０に電力を供給しない省エネ動作を示す。詳細には、実行部９０ｄは、スリープ制御の実行時に、加熱部６、駆動部４３及び操作部８０に電力を供給させない。スリープ制御の実行中に、操作部８０が操作された時に、実行部９０ｄはウォームアップを実行することになるが、決定部９０ｃは、時間ｔが所定時間Ｔ以上であるか否かを判定する。具体的には、時間ｔが所定時間Ｔ以上である場合には、決定部９０ｃは、検知部５で検知された温度を、新たな環境温度として記憶するように、記憶部８１を制御する。一方、時間ｔが所定時間Ｔ未満である場合に、決定部９０ｃは、記憶部８１を制御しない。
【００７１】
（３）記憶部８１は、過去の環境温度を更に蓄積してもよい。そして、決定部９０ｃは、電源オフ状態から電源オン状態に変更された時に、検知部５で検知された温度と、環境温度の温度変化を示す情報とに基づいて、新たな環境温度を決定する。詳細には、決定部９０ｃは、電源オフ状態から電源オン状態に変更された時に、検知部５で検知された温度を取得する。決定部９０ｃは、検知部５で検知された温度と、記憶部８１に記憶された環境温度の温度変化とを比較する。例えば、エアコンによる温調が安定したか否かを判定して、検知部５で検知された温度を新たな環境温度として記憶するように、記憶部８１を制御する。
【００７２】
（４）本実施形態では、画像形成装置１は複合機であったが、複写機、プリンター、又はファクシミリであってもよい。また、画像形成装置１は、モノクロ対応であってもよいし、カラー対応であってもよい。
【産業上の利用可能性】
【００７３】
本発明は、画像形成装置に関するものであり、産業上の利用可能性を有する。
【符号の説明】
【００７４】
１    画像形成装置
５    検知部
６    加熱部
３０    画像形成部
４０    定着部
４１    加熱回転体
４２    加圧回転体
４３    駆動部
８０    操作部
８１    記憶部
８２    計測部
８３    主電源スイッチ
９０    制御部
【図１】
2020160249.tif 000003
【図２】
2020160249.tif 000004
【図３】
2020160249.tif 000005
【図４】
2020160249.tif 000006
【図５】
2020160249.tif 000007
【図６】
2020160249.tif 000008